(57)【要約】【課題】  通気性の高い窓を提供することを課題とする。【解決手段】窓枠と、複数の羽とを含んでなり、複数の羽が適宜な距離で平行に窓枠の内部に排列し、該羽が横向きの平面を具えてなり、該横向き平面の後方端縁部が上方に湾曲して延伸した第一パネルを有し、それぞれの羽の間が空気の流動する比較的大きな経路を有し、通風、通気を行う構造からなる。【選択図】  図３
0003156796.tif 000002
【実用新案登録請求の範囲】
【請求項１】
窓枠と、複数の羽とを含んでなり、
該複数の羽が適宜な距離で平行に窓枠の内部に排列し、該羽が横向きの平面を具えてなり、該横向き平面の後方端縁部が上方に湾曲して延伸した第一パネルを有し、それぞれの羽の間に空気の流動する比較的大きな経路を有し、通風、通気を行う構造からなることを特徴とする窓。
【請求項２】
前記羽の断面が、コの字を上下に重ねたような  
0003156796.tif 000005
状を呈し、第二パネルが後方に湾曲して底端縁部を有することを特徴とする請求項１に記載の窓。
【請求項３】
前記窓枠の上方板の前方端縁部が下向きに湾曲してパネルを具えてなり、該パネルは下端が後方に湾曲して底縁を有し、底板の表面の中央に上方に突出し、羽の第一パネルに対応したパネルを有することを特徴とする請求項１に記載の窓。
【請求項４】
前記窓枠の上方板の表面には、突部と挿入孔とを有し、窓枠の底板は上方板の突部及び挿入孔に対応する位置の底面に挿入孔と突部を有することを特徴とする請求項３に記載の窓。
【請求項５】
前記窓枠の長手方向に垂直な両側の板の前方端縁部には、それぞれ外側に向けて突出した凸縁部を有し、後方端縁部にはフックを有することを特徴とする請求項１に記載の窓。
【考案の詳細な説明】
【技術分野】
【０００１】
この考案は、窓であって、特に複数のパネルの間を空気が流動して通風、換気することができる窓に関する。
【背景技術】
【０００２】
洋服ダンスには簡易的な帆布製のものや、木製のものなどがある。
【０００３】
簡易的な帆布製の洋服ダンスは軽量で組み立てが容易であるが、安定性が好ましくなく、損壊し易い。
【０００４】
木製の洋服ダンスは体積が固定され、重量が比較的重いが安定性に優れ、損壊し難い。
【０００５】
しかしながら、どのような形式の洋服ダンスであっても、洋服ダンス内部に空気がこもることが避けられないため、通気性が非常に重要である。
【０００６】
一般的な木製の洋服ダンスは、複数の板片を釘などで固定して洋服ダンスの本体を形成するとともに、内部に衣類を吊るすために供する桿体を設ける。
【０００７】
洋服ダンスの前方には平板式の扉を設けて、洋服ダンスを開く、或いは閉じるために供する。
【０００８】
しかしながら、扉を閉めると、洋服ダンスの本体は完全に密閉され、本体内部の空気が外部の空気と対流することがない。
【０００９】
よって、洋服ダンス内部の風通しが悪くなり、空気がこもり異臭が発生する。
【００１０】
このため、洋服ダンスの内部にポプリや芳香剤、除湿剤などを置く使用者をよく見かける。
【００１１】
上述の製品を設けることはコストがかかる。また、梅雨の季節には洋服ダンス、或いは洋服が、通風不良、或いは湿気が多すぎによりカビが発生し、衣類に異臭が付着し、洋服ダンスの使用寿命にも影響を与える。
【考案の開示】
【考案が解決しようとする課題】
【００１２】
この考案は、通気性の高い窓を提供することを課題とする。
【課題を解決するための手段】
【００１３】
そこで、本考案者は従来の技術に見られる欠点に鑑みて鋭意研究を重ねた結果、窓枠と、複数の羽とを含んでなり、
該複数の羽が適宜な距離で平行に窓枠の内部に排列し、該羽が横向きの平面を具えてなり、該横向き平面の後方端縁部が上方に湾曲して延伸した第一パネルを有し、それぞれの羽の間に空気の流動する比較的大きな経路を有し、通風、通気を行う構造からなる窓の構造によって課題を解決できる点に着眼し、かかる知見に基づいて本考案を完成させた。
【００１４】
以下、この考案について具体的に説明する。
請求項１に記載の窓は、窓枠と、複数の羽とを含んでなり、
該複数の羽が適宜な距離で平行に窓枠の内部に排列し、該羽が横向きの平面を具えてなり、該横向き平面の後方端縁部が上方に湾曲して延伸した第一パネルを有し、それぞれの羽の間に空気の流動する比較的大きな経路を有し、通風、通気を行う構造からなる。
【００１５】
請求項２に記載する窓は、請求項１における羽の断面が、コの字を上下に重ねたような  
0003156796.tif 000003
状を呈し、第二パネルが後方に湾曲して底端縁部を設けてなる。    
【００１６】
請求項３に記載する窓は、請求項１における窓枠の上方板の前方端縁部が下向きに湾曲してパネルを具えてなり、該パネルは下端が後方に湾曲して底縁有し、底板の表面の中央に上方に突出し、羽の第一パネルに対応したパネルが設けられる。
【００１７】
請求項４に記載する窓は、請求項１から３における窓枠の上方板の表面には、突部と挿入孔とを有し、窓枠の底板は上方板の突部及び挿入孔に対応する位置の底面に挿入孔と突部を設けてなる。
【００１８】
請求項５に記載する窓は、請求項１における窓枠の長手方向に垂直な両側の板の前方端縁部には、それぞれ外側に向けて突出した凸縁部を有し、後方端縁部にはフックが設けられる。
【考案の効果】
【００１９】
この考案による窓は、通気性が良いため異臭やカビの発生を防ぎ洋服ダンスや洋服の使用寿命を延長することができるという効果を有する。
【考案を実施するための最良の形態】
【００２０】
この考案は、通気性の高い窓であって、窓枠と、複数の羽とを含んでなり、該複数の羽が適宜な距離で平行に窓枠の内部に排列し、該羽が横向きの平面を具えてなり、該横向き平面の後方端縁部が上方に湾曲して延伸した第一パネルを有し、それぞれの羽の間に空気の流動する比較的大きな経路を有し、通風、通気を行う窓の構造と特徴を詳述するために具体的な実施例を挙げ、図示を参照にして以下に説明する。
【実施例】
【００２１】
図１から３は、この考案の窓を示した説明図である。
【００２２】
図面によれば、この考案の窓１０は、窓枠１１と、複数の羽１３とを含んでなる。
【００２３】
該複数の羽１３は、適宜な距離で平行に窓枠１１の内部に排列して設けられる。
【００２４】
該羽１３は、断面がコの字を上下に二つ重ねたような
0003156796.tif 000004
状を呈し、横向きな平面１３１を具えてなる。
【００２５】
該横向きの平面１３１は、後方端縁部に上方に湾曲して延伸した第一パネル１３２を具えてなる。該横向きの平面１３１は、前方端縁部が下方に湾曲して延伸した第二パネル１３３を具えてなる。
【００２６】
第二パネル１３３は、後方に湾曲した底端縁部１３４を具えてなる。
【００２７】
よって、上下の羽１３の二つの横向きの平面１３１の間は比較的大きな空気が流れる空間を具えている。
【００２８】
上方の羽１３の第二パネル１３３と下方の羽１３の第一パネル１３２との間には比較的大きな空気の流れる空間を具えている。
【００２９】
窓枠１１と、その上方板１１１の表面には突部１１２と、挿入孔１１３とが設けられている。
【００３０】
該上方板１１１は、前方端縁部が下向きに湾曲してパネル１１４を具えてなり、パネル１１４は後方に湾曲して底縁１１５を設けてなる。
【００３１】
窓枠１１の底板１１６は、上方板１１１の突部１１２及び挿入孔１１３に対応する位置の底面に挿入孔１１８及び突部１１７が設けられる。
【００３２】
又、底板１１６の表面の中間に近い位置には上方に突出し、羽１３の第一パネル１３２に対応したパネル１１９が設けられる。
【００３３】
さらに、窓枠１１の長手方向に垂直な両側の板１２０の前方端縁部にはそれぞれ外側に向けて突出した凸縁部１２１が設けられ、後方端縁部にはフック１２２が設けられる。
【００３４】
よって、凸縁部１２１とフック１２２との間に係合空間が形成される。
【００３５】
図２、４、５に開示するように、窓１０を設ける場合、それぞれの窓１０の窓枠１１両側のフック１２２を洋服ダンスの扉のフレーム２０の背面に係合し、窓枠１１両側の凸縁部１２１を扉のフレーム２０の前面に当接する。
【００３６】
よって、窓１０が扉のフレーム２０の内部にもうけられる。
【００３７】
次に、下方に位置する窓１０は上方板１１１の突部１１２と挿入孔１１３をそれぞれ上方の窓１０の挿入孔１１３と突部１１２と嵌合する。
【００３８】
よって、窓１０がそれぞれ相互に組み合わせて設けられ、窓１０が上下の羽１３の二つの横向きの平面１３１との間に空気が流れる比較的大きな経路が形成される。
【００３９】
上方の羽１３の第二パネル１３３と下方羽１３の第一パネル１３２の間には空気の流れる比較的大きな経路が形成される。
【００４０】
よって、空気の流量が増加し、洋服ダンス内部の空気が外部の空気と滞留を形成するため、空気が滞留することや、異臭が発生することがなく、通風、換気の効果を高めることができる。
【００４１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４２】
【図１】この考案の窓を示した斜視図である。
【図２】この考案の窓の背面を示した斜視図である。
【図３】この考案の窓を示した断面図である。
【図４】この考案の窓の断面を示した説明図である。
【図５】この考案の窓の使用状態を示した説明図である。
【符号の説明】
【００４３】
１０       窓
１１       窓枠
１１１     上方板
１１２     突部
１１３     挿入孔
１１４     パネル
１１５     底縁
１１６     底板
１１７     突部
１１８     挿入孔
１１９     パネル
１２０     両側の板
１２１     凸縁部
１２２     フック
１３       羽
１３１     平面
１３２     第一パネル
１３３     第二パネル
１３４     底端縁部
２０       フレーム
【図１】
0003156796.tif 000006
【図２】
0003156796.tif 000007
【図３】
0003156796.tif 000008
【図４】
0003156796.tif 000009
【図５】
0003156796.tif 000010
【手続補正書】
【提出日】平成21年11月11日(2009.11.11)
【手続補正１】
【補正対象書類名】実用新案登録請求の範囲
【補正対象項目名】全文
【補正方法】変更
【補正の内容】
【実用新案登録請求の範囲】
【請求項１】
窓枠と、複数の羽とを含んでなり、
該複数の羽が適宜な距離で平行に窓枠の内部に排列し、該羽が横向きの平面を具えてなり、該横向き平面の後方端縁部が上方に湾曲して延伸した第一パネルを有し、それぞれの羽の間に空気の流動する比較的大きな経路を有し、通風、通気を行う構造からなることを特徴とする窓。
【請求項２】
前記羽の断面が、コの字を上下に重ねた形状を呈し、第二パネルが後方に湾曲して底端縁部を有することを特徴とする請求項１に記載の窓。
【請求項３】
前記窓枠の上方板の前方端縁部が下向きに湾曲したパネルを具えてなり、該パネルは下端が後方に湾曲して底縁を有し、底板の表面の中央に上方に突出し、羽の第一パネルに対応したパネルを有することを特徴とする請求項１に記載の窓。
【請求項４】
前記窓枠の上方板の表面には、突部と挿入孔とを有し、窓枠の底板は上方板の突部及び挿入孔に対応する位置の底面に挿入孔と突部を有することを特徴とする請求項３に記載の窓。
【請求項５】
前記窓枠の長手方向に垂直な両側の板の前方端縁部には、それぞれ外側に向けて突出した凸縁部を有し、後方端縁部にはフックを有することを特徴とする請求項１に記載の窓。